(57)【要約】      （修正有）【課題】保温・保冷の効果を向上させる液体窒素タンクを提供する。【解決手段】液体窒素タンクであって、タンク体、貯蔵ラック及び駆動アセンブリを含み、タンク体は、タンク蓋、タンク本体、真空キャビティ層６及び断熱キャビティ層を含み、タンク蓋は、タンク本体上に覆設され、タンク本体上には、アクセスドアが開口され、タンク本体内には、貯蔵キャビティが設置され、貯蔵キャビティの外囲には、断熱キャビティ層が設置され、断熱キャビティ層の外囲には、真空キャビティ層が設置され、貯蔵ラックは、貯蔵キャビティ内に設置され、貯蔵ラックは、複数の凍結貯蔵チューブパレットを貯蔵でき、駆動アセンブリは、貯蔵キャビティ内で回転しながら上下運動するように貯蔵ラックを駆動でき、アクセスドアに対応する位置に移動するように複数の凍結貯蔵チューブパレットを連動させることができる。【選択図】図２
0003235426.tif 000002
【実用新案登録請求の範囲】
【請求項１】
タンク体、貯蔵ラック及び駆動アセンブリを含み、
前記タンク体は、タンク蓋、タンク本体、真空キャビティ層及び断熱キャビティ層を含み、
前記タンク蓋は、前記タンク本体上に覆設され、前記タンク本体上には、アクセスドアが開口され、
前記タンク本体内には、貯蔵キャビティが設置され、前記貯蔵キャビティの外囲には、断熱キャビティ層が設置され、前記断熱キャビティ層の外囲には、真空キャビティ層が設置され、
前記貯蔵ラックは、前記貯蔵キャビティ内に設置され、前記貯蔵ラックは、複数の凍結貯蔵チューブパレットを貯蔵でき、
前記駆動アセンブリは、前記貯蔵キャビティ内で回転しながら上下運動するように前記貯蔵ラックを駆動でき、前記アクセスドアに対応する位置に移動するように複数の凍結貯蔵チューブパレットを連動させることができる、ことを特徴とする液体窒素タンクである。
【請求項２】
前記断熱キャビティ層内には、保温材が設置されており、前記保温材は、ＰＩＲ、ＰＵＲ、ＥＰＰ、ＥＰＳ或いはエアロゲルである、ことを特徴とする請求項１に記載の液体窒素タンクである。
【請求項３】
前記駆動アセンブリは、駆動モータ、駆動ギア、従動ギア、フォーク部材及び制御ねじを含み、
前記駆動モータのモータ軸は、前記駆動ギアと同軸接続され、前記駆動ギアは、前記従動ギアに係合され、前記従動ギアの下端面には、フォーク部材が設置され、
前記フォーク部材は、内部が中空の円筒形であり、前記フォーク部材の外囲の半径方向には、操作通路が内向きに開口され、前記操作通路は、前記フォーク部材を一方の端部の第一サブフォーク部材と、他方の端部の第二サブフォーク部材とに分け、
前記貯蔵ラックの中央部分には、第一制御通路、第二制御通路及びねじ操作通路が開口され、
前記第一サブフォーク部材は、前記第一制御通路内に設置され、前記第一制御通路は、前記第一サブフォーク部材に対して円周方向における制限を行い、前記第二サブフォーク部材は、前記第二制御通路内に設置され、前記第二制御通路は、前記第二サブフォーク部材に対して円周方向における制限を行い、
前記制御ねじは、前記貯蔵キャビティ内に固定され、前記制御ねじは、フォーク部材を通ってねじ操作通路に入り、ねじ操作通路の外部まで延び、
前記ねじ操作通路の内部の上端には、第一ねじナットが設置され、前記ねじ操作通路の外部の下端には、第二ねじナットが設置され、前記制御ねじは、それぞれ前記第一ねじナットと第二ねじナットにネジ接続される、ことを特徴とする請求項２に記載の液体窒素タンクである。
【請求項４】
前記貯蔵ラックの中央部分には、制御溝が設置され、前記第一制御通路、第二制御通路及びねじ操作通路は、いずれも前記制御溝内に設置され、前記ねじ操作通路は、前記第一制御通路と前記第二制御通路との間に設置され、前記制御溝の外部には、複数の分割板が設置され、前記複数の前記分割板は、円周方向で貯蔵ラックを複数の貯蔵区に分割し、複数の貯蔵板が前記貯蔵区内に軸方向に設置され、前記複数の前記貯蔵板は、貯蔵区を複数の貯蔵溝に分割し、凍結貯蔵チューブパレットは、前記貯蔵溝内に配置でき、
前記複数の前記貯蔵区の上部及び下部には、いずれも複数の窒素スルーホールが開口される、ことを特徴とする請求項３に記載の液体窒素タンクである。
【請求項５】
前記タンク体は、保温板及び固定板をさらに含み、前記固定板は、前記タンク本体内に固定され、前記保温板は、前記固定板の上端面上に設置され、前記タンク蓋は、前記保温板上に覆設され、
前記駆動モータは、前記タンク蓋の上端面上に設置され、前記駆動モータのモータ軸は延びて前記保温板及び固定板を通った後、従動ギアが設置される、ことを特徴とする請求項４に記載の液体窒素タンクである。
【請求項６】
前記貯蔵板上には、いずれも窒素スルーホールが開口される、ことを特徴とする請求項４に記載の液体窒素タンクである。
【請求項７】
固定座をさらに含み，前記制御ねじの上端は、前記固定板上に固定され、前記制御ねじの下端は、前記固定座上に固定される、ことを特徴とする請求項５に記載の液体窒素タンクである。
【考案の詳細な説明】
【技術分野】
【０００１】
本考案は、生物学的試料の貯蔵装置に関するものである。より具体的には、液体窒素タンクに関するものである。
【背景技術】
【０００２】
凍結生物学的試料庫は、現在、医学分野と生物学分野の研究作業のための重要な基本設備であり、液体窒素の低温保存によって、血液、幹細胞及び免疫細胞等の生体組織を長期間活性化させることができる。従来技術では、いずれも抽出された生物学的試料を凍結貯蔵チューブ中に保管した後、凍結貯蔵チューブを凍結貯蔵ボックス或いは凍結貯蔵チューブパレット内に保管した後、凍結貯蔵ボックス或いは凍結貯蔵チューブパレットを液体窒素タンク中に入れて格納する。通常の液体窒素タンクは、設置上の問題により、凍結貯蔵ボックス或いはパレットの保管に使用されるが、効果が良くなく、液体窒素の揮発効率が比較的に高いと同時に、優れたアクセス機能を実現することができず、実験者の保管効率を低下させると同時に、液体窒素タンクの保冷効果が良くないため、生物学的試料の保管アクティブに影響を与える。
【考案の概要】
【０００３】
本考案の目的は、液体窒素タンクを提供することである。これにより、従来技術における凍結貯蔵チューブ或いは凍結貯蔵ボックス或いはパレットの貯蔵効果が良くなく、液体窒素の揮発効率が比較的に高く、良好なアクセス機能を実現することができず、実験者の保管効率を低下させ、生物学的試料の保管アクティブに影響を与えるという問題を解決する。
【０００４】
本考案は、以下の技術的解決策を採用して技術的問題を解決する：液体窒素タンクはタンク体、貯蔵ラック及び駆動アセンブリを含み、
前記タンク体は、タンク蓋、タンク本体、真空キャビティ層及び断熱キャビティ層を含み、
前記タンク蓋は、前記タンク本体上に覆設され、前記タンク本体上には、アクセスドアが開口され、
前記タンク本体内には、貯蔵キャビティが設置され、前記貯蔵キャビティの外囲には、断熱キャビティ層が設置され、前記断熱キャビティ層の外囲には、真空キャビティ層が設置され、
前記貯蔵ラックは、前記貯蔵キャビティ内に設置され、前記貯蔵ラックは、複数の凍結貯蔵チューブパレットを貯蔵でき、
前記駆動アセンブリは、前記貯蔵キャビティ内で回転しながら上下運動するように前記貯蔵ラックを駆動でき、前記アクセスドアに対応する位置に移動するように複数の凍結貯蔵チューブパレットを連動させることができる。
【０００５】
好ましくは、前記断熱キャビティ層内には、保温材が設置されており、前記保温材は、ＰＩＲ、ＰＵＲ、ＥＰＰ、ＥＰＳ或いはエアロゲルである。
【０００６】
好ましくは、前記駆動アセンブリは、駆動モータ、駆動ギア、従動ギア、フォーク部材及び制御ねじを含み、
前記駆動モータのモータ軸は、前記駆動ギアと同軸接続され、前記駆動ギアは、前記従動ギアに係合され、前記従動ギアの下端面には、フォーク部材が設置され、
前記フォーク部材は、内部が中空の円筒形であり、前記フォーク部材の外囲の半径方向には、操作通路が内向きに開口され、前記操作通路は、前記フォーク部材を一方の端部の第一サブフォーク部材と、他方の端部の第二サブフォーク部材とに分け、
前記貯蔵ラックの中央部分には、第一制御通路、第二制御通路及びねじ操作通路が開口され、
前記第一サブフォーク部材は、前記第一制御通路内に設置され、前記第一制御通路は、前記第一サブフォーク部材に対して円周方向における制限を行い、前記第二サブフォーク部材は、前記第二制御通路内に設置され、前記第二制御通路は、前記第二サブフォーク部材に対して円周方向における制限を行い、
前記制御ねじは、前記貯蔵キャビティ内に固定され、前記制御ねじは、フォーク部材を通ってねじ操作通路に入り、ねじ操作通路の外部まで延び、
前記ねじ操作通路の内部の上端には、第一ねじナットが設置され、前記ねじ操作通路の外部の下端には、第二ねじナットが設置され、前記制御ねじは、それぞれ前記第一ねじナットと第二ねじナットにネジ接続される。
【０００７】
好ましくは、前記貯蔵ラックの中央部分には、制御溝が設置され、前記第一制御通路、第二制御通路及びねじ操作通路は、いずれも前記制御溝内に設置され、前記ねじ操作通路は、前記第一制御通路と前記第二制御通路との間に設置され、前記制御溝の外部には、複数の分割板が設置され、前記複数の前記分割板は、円周方向で貯蔵ラックを複数の貯蔵区に分割し、複数の貯蔵板が前記貯蔵区内に軸方向に設置され、前記複数の前記貯蔵板は、貯蔵区を複数の貯蔵溝に分割し、凍結貯蔵チューブパレットは、前記貯蔵溝内に配置でき、
前記複数の前記貯蔵区の上部及び下部には、いずれも複数の窒素スルーホールが開口される。
【０００８】
好ましくは、前記タンク体は、保温板及び固定板をさらに含み、前記固定板は、前記タンク本体内に固定され、前記保温板は、前記固定板の上端面上に設置され、前記タンク蓋は、前記保温板上に覆設され、
前記駆動モータは、前記タンク蓋の上端面上に設置され、前記駆動モータのモータ軸は延びて前記保温板及び固定板を通った後、従動ギアが設置される。
【０００９】
好ましくは、前記貯蔵板上には、いずれも窒素スルーホールが開口される。
【００１０】
好ましくは、固定座をさらに含み，前記制御ねじの上端は、前記固定板上に固定され、前記制御ねじの下端は、前記固定座上に固定される。
【００１１】
本考案は、次の有益な効果がある。タンク本体、真空キャビティ層及び断熱キャビティ層が設置され、貯蔵ラックが前記タンク本体内に設置され、前記断熱キャビティ層は、保冷・保温の真空キャビティである。同時に、断熱キャビティ層がさらに設置され、断熱キャビティ層に保温材が設置される。これにより、ダブルキャビティ層が形成され、液体窒素タンクの保温・保冷の効果を大幅に向上させ、液体窒素の揮発を減らし、より良いアクセスが可能になり、実験者の保管効率を向上させ、生物学的試料の保管アクティブを保証する。
【図面の簡単な説明】
【００１２】
【図１】液体窒素タンクの構造概略図である。
【図２】図１の半分の断面図である。
【図３】図１の構造分解図である。
【図４】駆動アセンブリと貯蔵ラックの構造概略図である。
【図５】タンク体の断面図である。
【考案を実施するための形態】
【００１３】
次は、実施例及び図面と併せて本考案の技術的解決策をさらに説明する。
【００１４】
実施例１
本実施例は、タンク体１、貯蔵ラック２及び駆動アセンブリ３を含み、前記タンク体１は、タンク蓋４、タンク本体５、真空キャビティ層６及び断熱キャビティ層７を含み、前記タンク蓋４は、前記タンク本体５上に覆設され、前記タンク本体５上には、アクセスドア８が開口され、前記タンク本体５内には、貯蔵キャビティ９が設置され、前記貯蔵キャビティ９の外囲には、断熱キャビティ層７が設置され、前記断熱キャビティ層７の外囲には、真空キャビティ層６が設置され、前記貯蔵ラック２は、前記貯蔵キャビティ９内に設置され、前記貯蔵ラック２は、複数の凍結貯蔵チューブパレット１０を貯蔵でき、前記駆動アセンブリ３は、前記貯蔵キャビティ９内で回転しながら上下運動するように前記貯蔵ラック２を駆動でき、前記アクセスドア８に対応する位置に移動するように複数の凍結貯蔵チューブパレット１０を連動させることができる、液体窒素タンクを提供する。
【００１５】
生物学的試料が保存された凍結貯蔵チューブパレット１０を取り出す必要がある場合、貯蔵ラック２における、取り出す必要のある凍結貯蔵チューブ（即ち、凍結貯蔵チューブパレット１０）を回転しながら上下運動させ、アクセスドア８に対応する位置に移動するように駆動アセンブリ３を利用して貯蔵ラック２を駆動した後、アクセスドア８を開いて凍結貯蔵チューブを取り出す。タンク体１に、真空キャビティ層６及び断熱キャビティ層７が設置され、真空キャビティ層６が真空であるため、保冷・保温の効果が優れ、断熱キャビティ層７内に保温材が設置されているため、保冷・保温をさらに高める。このような設置により、ダブルキャビティ層によって、液体窒素タンクは保冷・保温の機能をより良く果たし、液体窒素タンクの保温・保冷の効果を大幅に向上させ、液体窒素の揮発を減らし、より良いアクセスが可能になり、実験担当者の保管効率を向上させ、生物学的試料の保管アクティブを保証する。
【００１６】
本実施例の好ましいさらなる実施形態で、前記断熱キャビティ層７内には、保温材が設置されており、前記保温材は、ＰＩＲ、ＰＵＲ、ＥＰＰ、ＥＰＳ或いはエアロゲルである。
【００１７】
従来技術における液体窒素タンク及び液体窒素タンクの取り出しを駆動する機構の設計の制限性により、液体窒素タンクの開口部は頂部に設置されており、従来技術では、いずれも液体窒素タンクの取り出しを駆動する機構を利用して、液体窒素タンク内の貯蔵ラック全体を持ち上げた後、必要な凍結貯蔵チューブを選択することになる。このような設置は、凍結貯蔵チューブを取り出す或いは貯蔵する時、凍結環境全体に比較的に大きな破壊的な影響を及ぼす。そのため、本考案はさらなる駆動アセンブリ３を提供する。本実施例の好ましいさらなる実施形態で、前記駆動アセンブリ３は、駆動モータ１１、駆動ギア１２、従動ギア１３、フォーク部材１４及び制御ねじ１５を含み、前記駆動モータ１１のモータ軸は、前記駆動ギア１２と同軸接続され、前記駆動ギア１２は、前記従動ギア１３に係合され、前記従動ギア１３の下端面には、フォーク部材１４が設置され、
前記フォーク部材１４は、内部が中空の円筒形であり、前記フォーク部材１４の外囲の半径方向には、操作通路１６が内向きに開口され、前記操作通路１６は、前記フォーク部材１４を一方の端部の第一サブフォーク部材１７と、他方の端部の第二サブフォーク部材１８とに分け、前記貯蔵ラック２の中央部分には、第一制御通路１９、第二制御通路２０及びねじ操作通路２１が開口され、
前記第一サブフォーク部材１７は、前記第一制御通路１９内に設置され、前記第一制御通路１９は、前記第一サブフォーク部材１７に対して円周方向における制限を行い、前記第二サブフォーク部材１８は、前記第二制御通路２０内に設置され、前記第二制御通路２０は、前記第二サブフォーク部材１８に対して円周方向における制限を行い、前記制御ねじ１５は、前記貯蔵キャビティ９内に固定され、前記制御ねじ１５は、フォーク部材１４を通ってねじ操作通路２１に入り、ねじ操作通路２１の外部まで延び、前記ねじ操作通路２１の内部の上端には、第一ねじナット２２が設置され、前記ねじ操作通路２１の外部の下端には、第二ねじナット２３が設置され、前記制御ねじ１５は、それぞれ前記第一ねじナット２２と第二ねじナット２３にネジ接続される。
【００１８】
前記駆動モータ１１は、そのモータ軸と同軸接続された駆動ギア１２を連動させて回転し、前記駆動ギア１２は、従動ギア１３を連動させて回転する。前記フォーク部材１４は、前記従動ギア１３の下端面上に設置されているため、フォーク部材１４を連動させて回転する。第一サブフォーク部材１７及び第二サブフォーク部材１８は、それぞれ第一制御通路１９及び第二制御通路２０内に設置され、第一制御通路１９及び第二制御通路２０は、いずれもそれぞれ第一サブフォーク部材１７及び第二サブフォーク部材１８に対して円周方向における制限を行うため、フォーク部材１４が回転すると同時に、第一制御通路１９及び第二制御通路２０内で貯蔵ラック全体に対して円周回転するように押し動かし、貯蔵ラック２を連動させて回転する。ねじ操作通路２１が設置され、前記ねじ操作通路２１の内部の上端には、第一ねじナット２２が設置され、前記ねじ操作通路２１の外部の下端には、第二ねじナット２３が設置され、制御ねじ１５は貯蔵キャビティ９内に固定され、貯蔵ラック２が回転すると、第一ねじナット２２及び第二ねじナット２３は、制御ねじ１５上で回転運動を行い、第一ねじナット２２及び第二ねじナット２３は、制御ねじ１５に対して上下運動を行う。そのため、貯蔵ラック２が制御ねじ１５を囲んで回転しながら上昇する或いは下降する運動が実現され、標的凍結貯蔵チューブ或いは凍結貯蔵チューブパレットをアクセスドア８に対応する位置に移動させる目的を達する。このような設置で、アクセスドア８を凍結貯蔵チューブ或いは凍結貯蔵チューブパレットに対応するサイズのみに設定することができ、貯蔵ラック２全体に作用する必要はないため、液体窒素タンク内の貯蔵環境を十分に保証し、凍結環境全体が取り出しや保管動作の影響を受けず、凍結貯蔵チューブに破壊的な影響を与えることなく、保管の安全性を大幅に向上する。
【００１９】
本実施例の好ましいさらなる実施形態で、前記貯蔵ラック２の中央部分には、制御溝２４が設置され、前記第一制御通路１９、第二制御通路２０及びねじ操作通路２１は、いずれも前記制御溝２４内に設置され、前記ねじ操作通路２１は、前記第一制御通路１９と前記第二制御通路２０との間に設置され、前記制御溝２４の外部には、複数の分割板２５が設置され、前記複数の前記分割板２５は、円周方向で貯蔵ラック２を複数の貯蔵区２６に分割し、複数の貯蔵板２７が前記貯蔵区２６内に軸方向に設置され、前記複数の前記貯蔵板２７は、貯蔵区２６を複数の貯蔵溝２８に分割し、凍結貯蔵チューブパレット１０は、前記貯蔵溝２８内に配置でき、前記複数の前記貯蔵区２６の上部及び下部には、いずれも複数の窒素スルーホール２９が開口される。このような設置により、貯蔵ラック２が回転しながら上昇する或いは回転しながら下降する運動を行う時、液体窒素タンクの底部にある窒素スルー装置から出力される窒素が貯蔵キャビティ内全体に十分に拡散できることを保証し、生物学的試料の保管の安全性を保証する。
【００２０】
本実施例の好ましいさらなる実施形態で、前記タンク体１は、保温板３０及び固定板３１をさらに含み、前記固定板３１は、前記タンク本体５内に固定され、前記保温板３０は、前記固定板３１の上端面上に設置され、前記タンク蓋４は、前記保温板３０上に覆設され、前記駆動モータ１１は、前記タンク蓋１の上端面上に設置され、前記駆動モータ１１のモータ軸は延びて前記保温板３０及び固定板３１を通った後、従動ギア１３が設置される。このように、保温板３０は、ＰＩＲ、ＰＵＲ、ＥＰＰ、ＥＰＳ或いはエアロゲルからなる保温材で構成され、液体窒素タンクの保冷・保温の効果をさらに向上する。
【００２１】
本実施例の好ましいさらなる実施形態で、前記貯蔵板２７上には、いずれも窒素スルーホール２９が開口される。このような設置により、液体窒素タンク内全体の窒素スルー効果をさらに保証する。
【００２２】
本実施例の好ましいさらなる実施形態で、固定座３３をさらに含み、前記制御ねじ１５の上端は、前記固定板３１上に固定され、前記制御ねじ１５の下端は、前記固定座３３上に固定される。このような設置により、構造の安定性を保証する。
上記の実施例の順序付けは、説明を容易にするためだけであり、実施例の長所または短所を表すことではない。
【００２３】
最後に説明することは、上記の実施形態は、本考案の技術的解決策を説明するためにのみ使用され、それを限定するものではない。前述の実施例を参照して本考案を詳細に説明しているが、当業者は、以下を理解する必要がある。前述の実施例に記載された技術的解決策を変更すること、または一部の技術的特性に対して同等的置換を伴うことは依然として可能である。これらの変更または置換は、対応する技術的解決策の本質が、本考案の実施例の技術的解決策の精神及び範囲から逸脱することを引き起こさない。
【符号の説明】
【００２４】
１−タンク；２−貯蔵ラック；３−駆動アセンブリ；４−タンク蓋；５−タンク本体；６−真空キャビティ層；７−断熱キャビティ層；８−アクセスドア；９−貯蔵キャビティ；１０−凍結貯蔵チューブパレット；１１−駆動モータ；１２−駆動ギア；１３−従動ギア；１４−フォーク部材；１５−制御ねじ；１６−操作通路；１７−第一サブフォーク部材；１８−第二サブフォーク部材；１９−第一制御通路；２０−第二制御通路；２１−ねじ操作通路；２２−第一ねじナット；２３−第二ねじナット；２４−制御溝；２５−分割板；２６−貯蔵区；２７−貯蔵板；２８−貯蔵溝；２９−窒素スルーホール；３０−保温板；３１−固定板；３３−固定座。
【図１】
0003235426.tif 000003
【図２】
0003235426.tif 000004
【図３】
0003235426.tif 000005
【図４】
0003235426.tif 000006
【図５】
0003235426.tif 000007